(57)【要約】      （修正有）【課題】子供の体格に応じて握り部を最適な位置に固定できる自転車における子供乗せ籠装置を提供する。【解決手段】子供乗せ籠本体１の両前側部に対抗状に基板５，５を設け、基板５，５には握り部４の支持板６，６を回動自在に枢着するとともに、基板５，５には握り部４の起立位置と後方の倒立位置に対応する位置に支持板６，６のストッパー７と８を設けた自転車における子供乗せ籠装置。【選択図】  図１
2005082073.tif 000002
【特許請求の範囲】
【請求項１】
子供乗せ籠本体の両前側部に対抗状に基板を設け、該基板には握り部の支持板を回動自在に枢着するとともに、上記基板には握り部の起立位置と後方の倒立位置に対応する位置に上記支持板のストッパーを設けたことを特徴とする自転車における子供乗せ籠装置。
【発明の詳細な説明】
【技術分野】
【０００１】
この発明は、子供の体格に応じて握り部の位置を変えるようにした自転車における子供乗せ籠装置に関するものである。
【背景技術】
【０００２】
ハンドルバーの立上部により左右から挟む様なかたちでハンドルステムの頂部に取り付けられ、買い物籠にもなる自転車の子供乗せ籠装置が知られている。
【０００３】
例えば、本願発明者は先に籠本体と該籠本体の前側底面部を構成する前側底面板とからなり、前側底面板には足乗せ台を固定し、また前側底面板の後端部を籠本体の前端に回動可能に枢着し、更に前側底面板と籠本体の前端部間には所定長さのバンドで係止し、更に前側底面板と籠本体の所定箇所にはそれぞれ係止具を設けた自転車の荷籠兼用子供乗せ籠装置を提案した（実公平6-50309号公報）。
【０００４】
これは、前側底面板を下方に回動してバンドの長さまで倒せば、籠本体の前側底面部が開放され、しかも前側底面板に固定された足乗せ台は所定の位置に位置するので、開放された籠本体の前側底面部に足を入れ、籠本体の後側底面部に設けられたシートに腰を乗せ、また足を足乗せ台に乗せれば、子供乗せ籠として使用できる。
【特許文献１】実公平6-50309号公報
【発明の開示】
【発明が解決しようとする課題】
【０００５】
以上の子供乗せ籠装置において子供は自転車の走行中、その前面部上端に設けられた握り部に掴まっていることが要求され、例えば自転車の走行中に握り部から手を離すような場合には子供の頭部或いは首が籠本体の後端部にぶつかり、極めて危険な状態となる。
【０００６】
しかし、握り部は籠本体の前面部上端に起立して固定されており、このため大きな子供には握り部が余りに近くにあるため、窮屈に感じたり、或いは小さな子供には握り部の距離が遠くて、走行中に握り部から手を離す危険性もある。
【課題を解決するための手段】
【０００７】
この発明は、上記実情に鑑み、子供乗せ籠本体の両前側部に対抗状に基板を設け、該基板には握り部の支持板を回動自在に枢着するとともに、上記基板には握り部の起立位置と後方の倒立位置に対応する位置に上記支持板のストッパーを設けた自転車における子供乗せ籠装置を提案するものである。
【発明の効果】
【０００８】
以上の構成において、大きな子供が乗っている場合には握り部を起立させ、小さな子供が乗っている場合は握り部を後方に倒立させる。
【０００９】
即ち、この発明では籠本体に乗る子供の体格に応じて握り部を最適な位置に固定できるので、子供に快適な乗り心地を提供できる。
【発明を実施するための最良の形態】
【００１０】
この発明では握り部は籠本体の両前側部に対抗状に設けられた基板に回動自在に設けられた支持板にその端部を支持させるとともに、基板には握り部の起立位置に対応する位置に支持板のストッパーと握り部を後方に倒立位置に対応する位置に支持板のストッパーが設けられている。
【実施例１】
【００１１】
以下、この発明を図示の実施例に基づいて詳細に説明すると、１はハンドルバー２の中央部にハンドルバーの立上部2a,2bにより左右から挟む様なかたちでハンドルステムの頂部に固定された籠本体、３は籠本体１の前側部、前側部３の後端部を籠本体１の前端部に回動可能に枢着し、籠本体１内に子供を乗せる場合には前側部３を前方に回動して前側部３内に足を伸ばすことができるようにするとともに、籠本体１の前面部の上端には子供の握り部４が設けられる。
【００１２】
握り部４は籠本体１の両前側部に対抗状に設けられた基板５，５に回動自在に設けられた支持板６，６にその端部を支持させるとともに、基板５，５には握り部４の起立位置に対応する位置に支持板６のストッパー７と握り部４を後方に倒立位置に対応する位置に支持板６のストッパー８が設けられている。
【００１３】
そして、大きな子供が乗る場合には握り部４を起立させ、小さな子供が乗る場合には握り部４を後方に倒立させる。
【００１４】
このため、この発明においてはこの発明では籠本体１に乗る子供の体格に応じて握り部４を最適な位置に固定できるので、子供に快適な乗り心地を提供できる。
【００１５】
なお、この実施例では籠本体１の後端部９の内面に沿って背もたれ板10が設けられ、背もたれ板10の背面にはガイド片11,11が上下方向に設けられ、後端部９側にはガイド片11,11の係合するガイド溝12,12が形成され、後端部９の内面に沿って籠本体１内に収納されている背もたれ板10をガイド溝12,12に沿って移動して後端部９の頂部より突出させるようにしてある。
【００１６】
また、後端部９の内面側上部にはストッパー片を構成する回動式の鍵片13が設けられ、背もたれ板10の上部と下部にはそれぞれ横長の係合穴14と15が形成され、更にガイド片11,11の外側部下端にはストッパー片16,16が設けられ、ガイド片11,11の外側部と隣接する後端部９の側部にはストッパー片16,16のガイド溝17,17が形成され、ガイド溝17,17の上端には係合溝18,18が設けられる。
【００１７】
背もたれ板10が後端部９の内面に沿って籠本体１内に収納されている状態では鍵片13を係合穴14に合わせて縦方向に回動することにより背もたれ板10を後端部９に固定する。
【００１８】
また、背もたれ板10をガイド溝12,12に沿って移動して後端部９の頂部より突出させた状態ではストッパー片16,16を溝18,18に係合させ、鍵片13を係合穴14に合わせて縦方向に回動することにより背もたれ板10を後端部９に固定する。
【００１９】
そして、子供が籠本体１の後端部９にもたれ掛からない正常な姿勢で乗っている場合には背もたれ板10は後端部９に沿って籠内に収納し、子供が籠本体の後端部にもたれ掛かる姿勢になった場合には背もたれ板10をガイド溝17,17に沿って移動して後端部９の頂部より突出させてこれにもたれ掛からせる。
【００２０】
したがって、この実施例では子供の体格に応じて握り部４を最適な位置に固定でき、しかも背もたれ板10にもたれ掛かって乗ることもできるため、極めて乗り心地のよいものとなる。
【産業上の利用可能性】
【００２１】
この発明においては籠本体に乗る子供の体格に応じて握り部を最適な位置に固定できるので、快適な乗り心地の自転車における子供乗せ籠装置となる。
【図面の簡単な説明】
【００２２】
【図１】自転車のハンドルバーの頂部に取り付けられた状態におけるこの発明の一実施例を示す側面図
【図２】同上の実施例において子供が籠本体の後端部にもたれ掛からない正常な姿勢で乗っている場合の側面図
【図３】同上の実施例において子供が籠本体の後端部にもたれ掛かる姿勢になった場合の側面図
【図４】同上の実施例において籠本体の後端部を正面より見た斜視図であり、（Ａ）は背もたれ板を後端部の頂部より突出させた状態図、（Ｂ）は背もたれ板を後端部に沿って籠内に収納させた状態図
【図５】同上の実施例において籠本体の後端部を背面より見た斜視図であり、（Ａ）は背もたれ板を後端部の頂部より突出させた状態図、（Ｂ）は背もたれ板を後端部に沿って籠内に収納させた状態図
【図６】同上の実施例において握り部の要部を拡大した斜視図
【符号の説明】
【００２３】
１は籠本体
２はハンドルバー
2a,2bはハンドルバーの立上部
３は籠本体の前側部
４は握り部
５，５は基板
６，６は支持板
７．８はストッパー
９は籠本体の後端部
10は背もたれ板
11,11はガイド片
12,12はガイド溝
13は鍵片
14と15は係合穴
16,16はストッパー片
17,17はガイド溝
18,18は係合溝
【図１】
2005082073.tif 000003
【図２】
2005082073.tif 000004
【図３】
2005082073.tif 000005
【図４】
2005082073.tif 000006
【図５】
2005082073.tif 000007
【図６】
2005082073.tif 000008